(57)【要約】 【課題】  ビールのような発泡飲料の容器にセットすることに依り、自分が好むだけの量の泡が得られるようにした泡立て用器具の提供を図る。【解決手段】  発泡飲料容器内から飲用液を取り出すための取出しパイプ(２)を二股状に分岐させることに依って、一方のパイプを主液注ぎ用パイプ(３)とすると共に他方のパイプを泡液注ぎ出し用パイプ(４)とし、当該泡液注ぎ出し用パイプ(４)の管路内に泡形成用ノズル(C)を介在させ、当該泡形成用ノズル(C)のノズル間隙を通過させることに依り飲用液に対する流動抵抗の増大化を図り、これにより、泡液注ぎ出し用パイプ(４)内に導かれた飲用液の発泡化を生じさせるように構成した発泡飲料の泡立て用器具。【選択図】  図１
2016068948.tif 000002
【特許請求の範囲】
【請求項１】
発泡飲料容器内から飲用液を取り出すための取出しパイプ(２)を二股状に分岐させることに依って、一方のパイプを主液注ぎ用パイプ(３)とすると共に他方のパイプを泡液注ぎ出し用パイプ(４)とし、当該泡液注ぎ出し用パイプ(４)の管路内に泡形成用ノズル(C)を介在させ、当該泡形成用ノズル(C)のノズル間隙を通過させることに依り飲用液に対する流動抵抗の増大化を図り、これにより、泡液注ぎ出し用パイプ(４)内に導かれた飲用液の発泡化を生じさせるように構成した発泡飲料の泡立て用器具。
【請求項２】
泡形成用ノズル(C)として、出口パーツ(５)と、当該出口パーツ(５)内に収装する弁パーツ(６)と、当該弁パーツ(６)と共同して所定のノズル間隙を形成するための入口パーツ(７)とから成るものを用い、当該出口パーツ(５)と入口パーツ(７)とはシリコンパッキング(８)を介して気密に連結し、泡液注ぎ出し用パイプ(４)を経て入口パーツ(７)から導入された容器内蔵液は、入口パーツ(７)と弁パーツ(６)と共同して形成されている所定のノズル間隙を通過する際に、液体の圧縮及びその開放に基づき泡発生の促進を図り、これに依り、出口パーツ(５)から泡化された液体が排出されるように構成した請求項１に記載の発泡飲料の泡立て用器具。
【請求項３】
泡形成用ノズル(C)として、ノズル間隔を選択的に変更可能とするように構成した請求項１または請求項２に記載の発泡飲料の泡立て用器具。    
【請求項４】
ノズル間隔を選択的に変更可能とする手段として、ノズル構成用雌型(７a)を具えた入口パーツ(７)と、当該ノズル構成用雌型(７a)と並行する緩傾斜を有するノズル構成用雄型(６d)を具えた弁パーツ(６)を有し、当該弁パーツ(６)における筒状体(６c)の両側部に割りピン状弾性片(６a,６a)を形成すると共に、当該弾性片(６a,６a)の外面に係止用突起(６b,６b)を付設し、当該弾性片(６a,６a)が着脱自在に係合可能とする複数の係止孔(７b)を、入口パーツ(７)側に一列状に設け、入口パーツ(７)に列設されている当該係止孔(７b)中の所要孔に対する係止用突起(６b,６b)の係止に基づき、ノズル構成用雌型(７a)とノズル構成用雄型(６d)で形成されるノズル間隙が調節されるように構成した請求項３に記載の発泡飲料の泡立て用器具。
【発明の詳細な説明】
【技術分野】
【０００１】
本発明は、ビールのような発泡飲料の容器にセットすることに依り、自分が好みに合った量の泡が得られるようにした泡立て用器具に関する。
【背景技術】
【０００２】
従来、この種の発泡用手段としては、発泡飲料の容器自体に泡立て用部分を形成するもの（例えば、特許文献１参照。）、或いはジョッキ等飲用容器に泡立て部分を形成するもの（例えば、特許文献２参照。）がある。  このような形態のものであると、缶状容器または飲用容器の個々に形成しなければならず、その目的達成のための手段としてはコスト高となるばかりでなく、各容器に対する汎用性がないため、極めて合理性に欠く手段である。
【０００３】
上記した問題を解決する手段として、発泡飲料容器に対して別体器具を取付けることに依って、発泡効果を得るようにしたものがある。  その手段としては、超音波を発生させて泡立て作用を奏させるもの（例えば、特許文献３参照。）、或いは、素焼部材を介在させることに依って、泡たて作用を奏させるもの（例えば、特許文献３参照。）がある。
【先行技術文献】
【特許文献】
【０００４】
【特許文献１】特開２００４−０８３０２９号公報
【特許文献２】特開２０１１−２００３１０号公報
【特許文献３】特開２０１２−１４４２５８号公報
【特許文献４】特開２００４−０４３０３３号公報
【発明の概要】
【発明が解決しようとする課題】
【０００５】
上記した超音波を発生させて泡立て作用を奏させるもの（例えば、特許文献３参照。）の場合、電池等電源を必要とし、構成も複雑化することを余儀なくされた。  また、素焼部材を介在させることに依って、泡立て作用を奏させるもの（例えば、特許文献３参照。）であると、手荒く扱った際に素焼部分の破損を招いてしまうと言う問題が予想される。
【課題を解決するための手段】
【０００６】
本発明は請求項１に記載のように、発泡飲料容器内から飲用液を取り出すための取出しパイプ２を二股状に分岐させることに依って、一方のパイプを主液注ぎ用パイプ３とすると共に他方のパイプを泡液注ぎ出し用パイプ４とし、当該泡液注ぎ出し用パイプ４の管路内に泡形成用ノズルCを介在させ、当該泡形成用ノズルCのノズル間隙を通過させることに依り飲用液に対する流動抵抗の増大化を図り、これにより、泡液注ぎ出し用パイプ４内に導かれた飲用液の発泡化を生じさせるように構成した発泡飲料の泡立て用器具に係る。
【０００７】
本発発明は請求項２に記載のように、泡形成用ノズルCとして、出口パーツ５と、当該出口パーツ５内に収装する弁パーツ６と、当該弁パーツ６と共同して所定のノズル間隙を形成するための入口パーツ７とから成るものを用い、当該出口パーツ５と入口パーツ７とはシリコンパッキング８を介して気密に連結し、泡液注ぎ出し用パイプ４を経て入口パーツ７から導入された容器内蔵液は、入口パーツ７と弁パーツ６と共同して形成されている所定のノズル間隙を通過する際に、液体の圧縮及びその開放に基づき泡発生の促進を図り、これに依り、出口パーツ５から泡化された液体が排出されるように構成した請求項１に記載の発泡飲料の泡立て用器具を実施の態様とする。
【０００８】
本発明は請求項３に記載のように、泡形成用ノズルCとして、ノズル間隔を選択的に変更可能とするように構成した請求項１または請求項２に記載の発泡飲料の泡立て用器具を実施の態様とする。
【０００９】
本発明は請求項４に記載のように、  ノズル間隔を選択的に変更可能とする手段として、ノズル構成用雌型７aを具えた入口パーツ７と、当該ノズル構成用雌型７aと並行する緩傾斜を有するノズル構成用雄型６dを具えた弁パーツ６を有し、当該弁パーツ６における筒状体６cの両側部に割りピン状弾性片６a,６aを形成すると共に、当該弾性片６a,６aの外面に係止用突起６b,６bを付設し、当該弾性片６a,６aが着脱自在に係合可能とする複数の係止孔７bを、入口パーツ７側に一列状に設け、入口パーツ７に列設されている当該係止孔７b中の所要孔に対する係止用突起６b,６bの係止に基づき、ノズル構成用雌型７aとノズル構成用雄型６dで形成されるノズル間隙が調節されるように構成した請求項３に記載の発泡飲料の泡立て用器具を実施の態様とする。
【発明の効果】
【００１０】
本発明は請求項１に記載のような構成を採用したから、発泡飲料容器内から注がれる飲用液を、主液注ぎ用パイプ３と泡液注ぎ出し用パイプ４とに分岐させることに依り、飲用液の一部を発泡専用として利用することが出来また、その発泡作用が泡形成用ノズルCを通過させることに依って行われるため、無動力にしてかつ安定した泡の発生を促すことが出来る。  従って、所謂缶ビールのような小量なものであっても、本発明を単に取付けると共に、ジョッキ等に注ぐことに依り、液表面に綺麗な泡を浮かせたビールを得ることが出来る。  そして、本発明は全体的構成がコンパクト化可能にして、かつ無動力で作動させることが出来るから、所謂缶ビールを含めて小量な発泡飲料の泡立て用器具として最適とするばかりでなく、大容量を詰めた業務用発泡飲料に対する実施も可能とするものである。
【００１１】
本発明は請求項２に記載のような構成を採用したから、ノズル間隙を通過した発泡用飲料は、図３に矢印で示すように入口パーツ７、弁パーツ６、出口パーツ５との重合間隙部分を通過することに依り、得られる泡は復元することなく安定した泡化を保った状態で送られることとなる。
【００１２】
本発明は請求項３に記載のような構成、すなわち、泡形成用ノズルCとして、ノズル間隔を選択的に変更可能とするように構成したから、飲用者の好み、或いは飲用物に適した泡の量とすることが出来る。  従って、使用上の汎用性を図ることが出来る。
【００１３】
本発明は請求項４に記載のような構成を採用したから、本発明の具体的実施が可能化されると同時に、泡の量的調節がシンプルな形態にしてかつ安定して行われることとな。
【図面の簡単な説明】
【００１４】
【図１】発泡飲料用缶状容器に対する装着状態にある本発明に係る泡立て用器具を表した説明用斜視図である。
【図２】本発明の縦断面図である。
【図３】本発明の作動を表した説明用上半部断面図である。
【図４】本発明を構成する部材を分解して示す参考用立体図である。
【発明を実施するための形態】
【００１５】
本発明に係る泡立て用器具Aは、図１に示すように、例えば缶ビール容器Bの天面開口部を覆うように着脱自在に取付けて使用に供するものである。  なお、同図において本発明に係る泡立て用器具Aの上面を露出状態としてあるが、これは内部構成を分かり易くしたためであり、実際には不図示のケース状蓋体で覆われている。
【００１６】
図１に於いて、１は容器内蔵液の取出し部、２は同取出しパイプであって、その先端側は二股状に分岐し、一方はコップ等容器に対する主液注ぎ出し用パイプ３として、他方は同一コップ等容器に対する泡液注ぎ出し用パイプ４として機能するように構成してある。  そして、上記した取出し部１には、例えば缶ビール容器Bの開口部に接続されて、同容器Bを傾けることに依って、その内蔵液が取出しパイプ２から排出されるように構成してある。
【００１７】
本発明は、上記のように取出しパイプ２の先端側を二股状に分岐させ、一方のパイプを主液注ぎ用パイプ３とし、他方のパイプを泡液注ぎ出し用パイプ４とすると共に、当該泡液注ぎ出し用パイプ４の管路内に、泡形成用ノズルCを介在させたことを特徴とするものである。  従って、上述した容器内蔵液の取出しのための構成は如何なる形態であっても可とし、これに対する限定性は無い。  そのため、図面等においても当該部分の詳細は省略してある。
【００１８】
図２乃至図４は上記した泡形成用ノズルC部分の構成を表したものである。  当該ノズルCは出口パーツ５と、当該出口パーツ５内に収装する弁パーツ６と、当該弁パーツ６と共同して所定のノズル間隙を形成するための入口パーツ７とから成るものであり、当該出口パーツ５と入口パーツ７とはシリコンパッキング８を介して気密に連結してある。  そして、泡液注ぎ出し用パイプ４を経て入口パーツ７から導入された容器内蔵液は、入口パーツ７と弁パーツ６と共同して形成されている所定のノズル間隙を通過する際に生じる、液体の圧縮及びその開放に基づき泡発生の促進が図られ、これに依り、出口パーツ５から微細な泡化された液体が排出供給されるように構成してある。
【００１９】
当該泡形成用ノズルCの構成を具体的かつ詳細に説明すると次の通りである。  前記出口パーツ５であるが、これは一端を開放面とする筒状体５aの他端に、泡液注ぎ出し用パイプ４の後半部分に対する連結用口金部５bを形成して成るものである。
【００２０】
前記入口パーツ７であるが、その筒状基体７aの先端寄りに、下記する弁パーツ６を所定位置で停止係合させるための複数の係止孔７bを一列状に列設してあり(図示の実施例にあっては３個列設してある。)、かつ、前記出口パーツ５に対してシリコンパッキング８を介して気密に連結してある。  そして、当該筒状基体7aの中心部には、奥方向に緩傾斜で拡開するノズル形成用雌型７cを形成すると共に、当該雌型７cの前端には、泡液注ぎ出し用パイプ４の前半部分が連結されるように構成してある。
【００２１】
前記弁パーツ６であるが、これは図４に示すように、筒状体６cの両側部に対称的に割りピン状弾性片６a,６aを形成すると共に、当該弾性片６a,６aの外面に、前記入口パーツ７に列設されている任意の係止孔７bに係合させるための係止用突起６b,６bを付設してある。  そして、当該筒状体６cの始端側には、前記入口パーツ７に設けたノズル構成用雌型７aと並行する緩傾斜を具えたノズル構成用雄型６dが突設してある。
【００２２】
そして、入口パーツ７に列設されている係止孔７bの所要孔中に対する係止用突起６b,６bの係止に基づき、ノズル構成用雌型７aとノズル構成用雄型６dで形成されるノズル間隙が調節されるように構成してある。
【００２３】
そのため、図２に示すような位置関係、すなわち、係止孔７bと係止用突起６bの係合位置の関係にあっては、ノズル間隔が最大化し、流体の流量が多くなるため、流動抵抗の減少化に基づき発生する泡は少なめとされる。
【００２４】
そして、図３に示す方向に係止孔７bと係止用突起６bの係合位置関係をずらすことに依り、ノズル間隔が次第に小さくなるため、流動抵抗の増大化に基づき、発生する泡の量的増加が図られる。  なお、図示の実施例にあっては３段階に調節可能とするように構成してあるが、これは任意の段数で実施することが出来る。
【００２５】
換言すると、入口パーツ７の差し込み程度に基づき、入口パーツ７に列設されている係止孔７bの中の、所要孔に対する係止用突起６b,６bの係止が調節され、これにより、任意の泡量の流体を得られるように構成してある。
【００２６】
本発明は図１に示す状態で、例えば開缶された発泡飲料用缶状容器、例えば飲み口が開かれた状態の缶ビールの天面に装着し、これを傾けることに依って、内蔵液を取出しパイプ２に導くと共に、これを、主液注ぎ用パイプ３と泡液注ぎ出し用パイプ４に分岐流動させ、主液注ぎ用パイプ３からはビールの主量がその先端から注がれ、泡液注ぎ出し用パイプ４側に流れるビールは弁パーツ６による既述した作用に基づき、希望する量の泡に転化させてその先端から注がれる。  従って、両パイプ３,４を受けているジョッキ等内に両者が流入すると共に、泡成分は軽いために液上面に浮かび上がり、最適な泡量とする極めて趣向性の高い状態での注ぎ目的が達成される。
【００２７】
なお、本発明は既述したように、取出しパイプ２の先端側を二股状に分岐させ、一方のパイプを主液注ぎ用パイプ３とし、他方のパイプを泡液注ぎ出し用パイプ４とすると共に、当該泡液注ぎ出し用パイプ４の管路内に、泡形成用ノズルCを介在させたことを特徴とするものである。
【００２８】
従って、上述した容器内蔵液の取出しのための構成に関する限定性は無い。  すなわち、当該取出しのための手段は、容器を傾けて行う以外、例えば適宜のポンプ機構を利用して行うように構成しても良い。  換言すると、図示のような缶ビール容器Bの場合は、その頂面に取付けるようにするが、例えば業務用の大型容器の場合は、側面に取付けるような形態で実施する場合もある。
【符号の説明】
【００２９】
A  泡立て用器具
B  缶ビール容器
C  泡形成用ノズル
１  取出し部
２  取出しパイプ
３  主液注ぎ出し用パイプ
４  泡液注ぎ出し用パイプ
５  出口パーツ
5a  筒状体
5b  連結用口金部
６  弁パーツ
6a  割りピン状弾性片
6b  筒状体
6c  係止用突起
6d  ノズル構成用雄型
７  入口パーツ
7a  筒状基体
7b  係止孔
7c  ノズル形成用雌型
８  シリコンパッキング
【図１】
2016068948.tif 000003
【図２】
2016068948.tif 000004
【図３】
2016068948.tif 000005
【図４】
2016068948.tif 000006